(57)【要約】【課題】  従来の切換スイッチを設けた遠隔操作器では、溶接電源とを接続する配線が１本追加となり、溶接電源との接続の互換性がなくなり、接続のために改造を必要とする。【解決手段】  溶接電流設定値を設定する溶接電流設定器と溶接電圧設定値を設定する溶接電圧設定器とで形成する遠隔操作装置と、電力を供給する主電源回路と、トーチスイッチがオフで溶接電圧設定器のボリュームを基準時間内に零電圧から所定電圧までの往復設定を第１の基準回数繰り返すと遠隔操作モードになり、オンすると遠隔操作装置の設定値に基づいて前記主電源回路の電力を制御し、トーチスイッチがオフで溶接電圧設定器のボリュームを基準時間内に零電圧から所定電圧までの往復設定を第２の基準回数繰り返すと溶接電源モードになり、オンすると溶接電源のパネルの設定値に基づいて前記主電源回路の電力を制御する主制御回路と、を具備したことを特徴とするアーク溶接機である。【選択図】  図１
2015071182.tif 000002
【特許請求の範囲】
【請求項１】
溶接電流設定値を設定する溶接電流設定器と溶接電圧設定値を設定する溶接電圧設定器とで形成する遠隔操作装置と、電力を供給する主電源回路と、トーチスイッチがオフ状態で前記溶接電圧設定器のボリュームを予め定めた基準時間内に零電圧から所定電圧までの往復設定を予め定めた第１の基準回数繰り返すと遠隔操作モードになり、前記トーチスイッチがオンすると前記遠隔操作装置の設定値に基づいて前記主電源回路の電力を制御し、前記トーチスイッチがオフ状態で前記溶接電圧設定器のボリュームを前記基準時間内に零電圧から前記所定電圧までの往復設定を予め定めた第２の基準回数繰り返すと溶接電源モードになり、前記トーチスイッチがオンすると溶接電源のパネルの設定値に基づいて前記主電源回路の電力を制御する主制御回路と、を具備したことを特徴とするアーク溶接機。
【請求項２】
前記主制御回路は、トーチスイッチがオフ状態で前記溶接電流設定器のボリュームを前記基準時間内に零電流から所定電流までの往復設定を前記第１の基準回数繰り返すと遠隔操作モードになり、前記第２の基準回数繰り返すと溶接電源モードになる、ことを特徴とする請求項１記載のアーク溶接機。
【請求項３】
前記主制御回路は、トーチスイッチがオフ状態で前記溶接電圧設定器又は前記溶接電流設定器のボリュームのどちらか一方で前記往復設定を前記第１の基準回数繰り返すと遠隔操作モードになり、前記第２の基準回数繰り返すと溶接電源モードになる、ことを特徴とする請求項１記載のアーク溶接機。
【請求項４】
前記溶接電源は、前記遠隔操作モード又は前記溶接電源モードのどちらが設定されているかを確認できる表示器を設けたことを特徴とする請求項１〜３のいずれか１項に記載のアーク溶接機。
【発明の詳細な説明】
【技術分野】
【０００１】
本発明は、溶接電源と遠隔操作装置との切り換え技術に関するものである。
【背景技術】
【０００２】
従来技術のアーク溶接機では、溶接電源のパネルと遠隔操作装置のパネルとの切り換えには、遠隔操作装置に設けた切換スイッチで行っていた。
【０００３】
図８は、従来技術のアーク溶接機の電気接続図である。同図において、溶接電源ＷＧはワイヤ２と被加工物３との間に電力を供給する主電源回路ＩＮＶと、パネルに設けた第２の溶接電流設定器ＩＲ２及び第２の溶接電圧設定器ＶＲ２と、主電源回路ＩＮＶの出力を制御する主制御回路ＳＣとで形成されている。
【０００４】
図８に示す遠隔操作装置ＲＥＣは、可変抵抗器を用いた溶接電流設定器ＩＲ及び溶接電圧設定器ＶＲとで形成され、溶接電源ＷＧに配線を用いて接続されている。溶接電流設定器ＩＲ及び溶接電圧設定器ＶＲは、溶接電源ＷＧから配線を介して制御用電源の供給を受け、溶接電流設定器ＩＲの可変端子に設定されたアナログ値の溶接電流設定値Ｉｒ及び溶接電圧設定器ＶＲの可変端子に設定されたアナログ値の溶接電圧設定値Ｖｒを出力する。そして、切換スイッチＳＷ５は、溶接電源ＷＧに配線を用いて接続されている。
【０００５】
切換スイッチＳＷ５を図示省略のリモコン側（短絡）に設定すると、主制御回路ＳＣは溶接電流設定値Ｉｒ及び溶接電圧設定値Ｖｒに基づいて主電源回路ＩＮＶの電力を制御し、切換スイッチＳＷ５を図示省略のパネル側（開放）に設定すると、主制御回路ＳＣは第２の溶接電流設定値Ｉｒ２及び第２の溶接電圧設定値Ｖｒ２に基づいて主電源回路ＩＮＶの電力を制御する。
【０００６】
上述より、作業者が手元の切換スイッチＳＷ５によって、パネル側又はリモコン側の選択を遠隔からできるので、作業者が溶接電源に戻って選択する必要がないので作業の効率が図れる。また、特許文献１には、上述した技術が開示されている。
【先行技術文献】
【特許文献】
【０００７】
【特許文献１】特開２００７−９０３５６号公報
【発明の概要】
【発明が解決しようとする課題】
【０００８】
作業者が１つの溶接工程が終了し、次の溶接工程を行うときに溶接電圧又は溶接電流の変更を必要とする場合があり、このとき手元に置いている遠隔操作装置を使用して変更する。
しかし、溶接電源に設けてある切換スイッチがパネル側のとき、遠隔操作装置を有効にするには、作業者が溶接電源の切換スイッチをリモコン側にする必要があり、このとき、溶接作業現場において、溶接電源が載置されている所まで作業者が移動するとき、困難な作業現場もある。
この対策として、従来では遠隔操作装置に切換スイッチを設けて対応していた。しかし、切換スイッチを設けて遠隔操作を行うとき、切換スイッチと溶接電源とを接続するための配線の追加が必要となり、配線を追加すると従来の溶接電源とで接続の互換性がなくなり、接続のための改造を必要とする。
そこで、本発明では、上記の課題を解決するアーク溶接機を供給することを目的とする。
【課題を解決するための手段】
【０００９】
上述した課題を解決するために、請求項１記載の発明は、予め定めた溶接電流設定値を設定する溶接電流設定器と予め定めた溶接電圧設定値を設定する溶接電圧設定器とで形成する遠隔操作装置と、予め定めた電力を供給する主電源回路と、トーチスイッチがオフ状態で前記溶接電圧設定器のボリュームを予め定めた基準時間内に零電圧から所定電圧までの往復設定を予め定めた第１の基準回数繰り返すと遠隔操作モードになり、前記トーチスイッチがオンすると前記遠隔操作装置の設定値に基づいて前記主電源回路の電力を制御し、前記トーチスイッチがオフ状態で前記溶接電圧設定器のボリュームを前記基準時間内に零電圧から前記所定電圧までの往復設定を予め定めた第２の基準回数繰り返すと溶接電源モードになり、前記トーチスイッチがオンすると溶接電源のパネルの設定値に基づいて前記主電源回路の電力を制御する主制御回路と、を具備したことを特徴とするアーク溶接機である。
【００１０】
請求項２記載の発明は、前記主制御回路は、トーチスイッチがオフ状態で前記溶接電流設定器のボリュームを前記基準時間内に零電流から所定電流までの往復設定を前記第１の基準回数繰り返すと遠隔操作モードになり、前記第２の基準回数繰り返すと溶接電源モードになる、ことを特徴とする請求項１記載のアーク溶接機である。
【００１１】
請求項３記載の発明は、前記主制御回路は、トーチスイッチがオフ状態で前記溶接電圧設定器又は前記溶接電流設定器のボリュームのどちらか一方で前記往復設定を前記第１の基準回数繰り返すと遠隔操作モードになり、前記第２の基準回数繰り返すと溶接電源モードになる、ことを特徴とする請求項１記載のアーク溶接機である。
【００１２】
請求項４記載の発明は、前記溶接電源は、前記遠隔操作モード又は前記溶接電源モードのどちらが設定されているかを確認できる表示器を設けた、ことを特徴とする請求項１〜３のいずれか１項に記載のアーク溶接機である。
【発明の効果】
【００１３】
本発明では、遠隔操作装置に設けられている溶接電圧設定器又は溶接電流設定器のボリュームを所定の設定操作を行うことで、遠隔操作装置又は溶接電源のパネルのどちらを有効にするか選択でき、従来のように配線の追加を必要とせず接続において互換性が生じる。この互換性により従来使用している遠隔操作装置でも、遠隔操作装置又は溶接電源のパネルのどちらを有効にするか選択が可能になる。
【図面の簡単な説明】
【００１４】
【図１】本発明の実施形態１に係るアーク溶接機の電気接続図である。
【図２】実施形態１の動作を説明するための波形図である。
【図３】遠隔操作装置のスクリーン図である。
【図４】実施形態２に係るアーク溶接機の電気接続図である。
【図５】実施形態２の動作を説明するための波形図である。
【図６】実施形態３に係るアーク溶接機の電気接続図である。
【図７】実施形態３の動作を説明するための波形図である。
【図８】従来技術のアーク溶接機の電気接続図である。
【発明を実施するための形態】
【００１５】
図１〜図３を参照して本発明の実施形態１の動作について説明する。
図１は、本発明の実施形態１に係るアーク溶接機の電気接続図である。同図において、図８に示す従来技術の溶接電機の電気接続図と同一符号の構成物は、同一動作を行うので説明は省略し、符号の相違する構成物についてのみ説明する。
【００１６】
図１に示す第１のモード判別回路ＷＳ１、第１のバッファアンプＯＰ１、第１の比較器ＣＰ１及び電圧基準設定回路ＶＲＥＦで形成し、第１の比較回路ＣＰ１は、溶接電圧設定値Ｖｒの値が予め定めた電圧基準値Ｖｒｅｆ以上になると、第１のモード判別信号Ｃｐ１をＨｉｇｈレベルにする。
また、断線検出回路ＩＤは、遠隔操作装置ＲＥＣが溶接電源ＷＧに制御線を介して接続されているとき（例えば、制御線に電流が通電していることを検出して）断線検出信号Ｉｄを出力し主制御回路ＳＣに送信する。主制御回路ＳＣは断線検出信号Ｉｄが入力されないとき（例えば、制御線に電流が通電していることが検出されないと）、遠隔操作装置ＲＥＣが溶接電源ＷＧに接続されていないと判別して、図１に示す第２の溶接電流設定器ＩＲ２及び第２の溶接電圧設定器ＶＲ２を有効にし、トーチスイッチがオンになると溶接電源のパネルで設定した第２の溶接電流設定値Ｉｒ２及び第２の溶接電圧設定値Ｖｒ２に基づいて主電源回路ＩＮＶの電力を制御する。
【００１７】
図１に示す主制御回路ＳＣは、トーチスイッチがオフ状態のとき、第１のモード判別信号Ｃｐ１のＨｉｇｈに応じて予め定めた基準時間を動作させ、この基準時間内に第１のモード判別信号Ｃｐ１が、例えば、２回繰り返して入力されると遠隔操作モードとなり、トーチスイッチがオンになると遠隔操作装置ＲＥＣで設定したの溶接電流設定値Ｉｒ及び溶接電圧設定値Ｖｒに基づいて主電源回路ＩＮＶの電力を制御する。また、トーチスイッチがオフ状態のとき、基準時間内に第１のモード判別信号Ｃｐ１が、例えば、３回繰り返して入力されると溶接電源モードとなり、トーチスイッチがオンになると溶接電源のパネルで設定した第２の溶接電流設定値Ｉｒ２及び第２の溶接電圧設定値Ｖｒ２に基づいて主電源回路ＩＮＶの電力を制御する。
上記において、主制御回路ＳＣは、第１のモード判別信号Ｃｐ１が偶数回入力したとき遠隔操作モード、奇数回入力したとき溶接電源モードと判別しているが、逆に第１のモード判別信号Ｃｐ１が奇数回入力したとき遠隔操作モード、偶数回入力したとき溶接電源モードと判別してもよい。
また、溶接電源モード時は、溶接電源の表示器ＬＥＤを消灯する。
【００１８】
図２は、実施形態１の動作を説明する波形図である。図２において、同図（Ａ）は、起動信号Ｔｓの波形を示し、同図（Ｂ）は、溶接電圧設定値Ｖｒの波形を示し、同図（Ｃ）は、溶接電流設定値Ｉｒを示し、同図（Ｄ）は、第２の溶接電圧設定値Ｖｒ２の波形を示し、同図（Ｅ）は、第２の溶接電流設定値Ｉｒ２を示し、同図（Ｆ）は、第１のモード判別信号Ｃｐ１の波形を示し、同図（Ｇ）は、基準時間Ｔｍを示す。
【００１９】
つぎに、図１〜図２を参照して実施形態１のアーク溶接機の動作について説明する。
図２に示す時刻ｔ＝ｔ１において、トーチスイッチがオフ状態で作業者が図３に示す溶接電圧のボリュウムＶＲを、例えば、溶接電圧０Ｖから２６Ｖの間を図２（Ｇ）に示す基準時間Ｔｍの時間内に、同図（Ｂ）に示すように、溶接電圧０Ｖから２６Ｖ、２６Ｖから０Ｖと往復設定を２回行うことで主制御回路ＳＣは、遠隔操作モードが設定された判別する。そして、時刻ｔ＝ｔ２において、同図（Ｇ）に示す基準時間Ｔｍが終了した時点で、主制御回路ＳＣは、遠隔操作モードの設定が完了したことを判別する。このとき、表示器ＬＥＤは点灯する。
【００２０】
図２に示す時刻ｔ＝ｔ３において、図２（Ａ）に示す起動信号ＴｓがＨｉｇｈレベルになると主制御回路ＳＣは、遠隔操作装置ＲＥＣによって設定された同図（Ｂ）に示す溶接電圧設定値Ｖｒ及び同図（Ｃ）に示す溶接電流設定値Ｉｒに基づいて主電源回路ＩＮＶの電力を制御する。そして、時刻ｔ＝ｔ４において、図３（Ａ）に示す起動信号ＴｓがＨｉｇｈレベルからＬｏｗレベルになると主制御回路ＳＣは、主電源回路ＩＮＶの電力制御を停止する。
【００２１】
図２に示す時刻ｔ＝ｔ５において、トーチスイッチがオフ状態で作業者が再度図３に示す溶接電圧のボリュウムを、例えば、溶接電圧０Ｖから２６Ｖの間を図２（Ｇ）に示す基準時間Ｔｍの時間内に、同図（Ｂ）に示すように、溶接電圧０Ｖから２６Ｖ、２６Ｖから０Ｖと往復設定を３回行うことで主制御回路ＳＣは、溶接電源モードが設定されたと判別する。そして、時刻ｔ＝ｔ６において、図２（Ｇ）に示す基準時間Ｔｍが終了した時点で、主制御回路ＳＣは、溶接電源モードの設定が完了したことを判別する。このとき、表示器ＬＥＤは消灯する。
【００２２】
上述より、従来使用している遠隔操作装置の溶接電圧のボリュウムＶＲを用いて、作業者が遠隔操作装置又は溶接電源のパネルのどちらを有効にするか選択することができる。
【００２３】
つぎに、図４及び図５を参照して実施形態２の動作について説明する。
図４は、実施形態２に係るアーク溶接機の電気接続図である。同図において、図１及び図８に示す電気接続図と同一符号の構成物は、同一動作を行うので説明は省略し、符号の相違する構成物についてのみ説明する。
【００２４】
図４に示す第２のモード判別回路ＷＳ２は、第２のバッファアンプＯＰ２、第２の比較器ＣＰ１と電流基準設定回路ＩＲＥＦとで形成し、第２の比較回路ＣＰ２は、溶接電流設定値Ｉｒの値が予め定めた電流基準値Ｉｒｅｆ以上になると、第２のモード判別信号Ｃｐ２をＨｉｇｈレベルにする。
【００２５】
図４に示す主制御回路ＳＣは、トーチスイッチがオフ状態のとき、第２のモード判別信号Ｃｐ２のＨｉｇｈレベルに応じて基準時間を動作させ、基準時間内に第２のモード判別信号Ｃｐ２が、例えば、２回繰り返して入力されると遠隔操作モードと判別し、トーチスイッチがオンになると、遠隔操作装置ＲＥＣで設定したの溶接電流設定値Ｉｒ及び溶接電圧設定値Ｖｒに基づいて主電源回路ＩＮＶの電力を制御する。また、トーチスイッチがオフ状態のとき、基準時間内に第２のモード判別信号Ｃｐ２が、例えば、３回繰り返して入力されると溶接電源モードと判別し、溶接電源のパネルで設定した第２の溶接電流設定値Ｉｒ２及び第２の溶接電圧設定値Ｖｒ２に基づいて主電源回路ＩＮＶの電力を制御する。
また、溶接電源モード時は、溶接電源の表示器ＬＥＤを消灯する。
【００２６】
図５は、実施形態２の動作を説明する波形図である。図５において、同図（Ａ）は、起動信号Ｔｓの波形を示し、同図（Ｂ）は、溶接電圧設定値Ｖｒの波形を示し、同図（Ｃ）は、溶接電流設定値Ｉｒを示し、同図（Ｄ）は、第２の溶接電圧設定値Ｖｒ２の波形を示し、同図（Ｅ）は、第２の溶接電流設定値Ｉｒ２を示し、同図（Ｆ）は、第２のモード判別信号Ｃｐ２の波形を示し、同図（Ｇ）は、基準時間Ｔｍを示す。
【００２７】
つぎに、図４及び図５を参照して実施形態２のアーク溶接機の動作について説明する。
図５に示す時刻ｔ＝ｔ１において、トーチスイッチがオフ状態で作業者が図３に示す溶接電流のボリュウムＩＲを、例えば、溶接電流０Ａから２００Ａの間を図５（Ｇ）に示す基準時間Ｔｍの時間内に、同図（Ｃ）に示すように、溶接電流０Ａから２００Ａ、２００Ａから０Ａと往復設定を２回行うことで主制御回路ＳＣは、遠隔操作モードが設定された判別する。そして、時刻ｔ＝ｔ２において、図２（Ｇ）に示す基準時間Ｔｍが終了した時点で、主制御回路ＳＣは、遠隔操作モードの設定が完了したことを判別する。このとき、表示器ＬＥＤは点灯する。
【００２８】
図５に示す時刻ｔ＝ｔ３において、図５（Ａ）に示す起動信号ＴｓがＨｉｇｈレベルになると主制御回路ＳＣは、遠隔操作装置ＲＥＣによって設定された同図（Ｂ）に示す溶接電圧設定値Ｖｒ及び同図（Ｃ）に示す溶接電流設定値Ｉｒに基づいて主電源回路ＩＮＶの電力を制御する。そして、時刻ｔ＝ｔ４において、同図（Ａ）に示す起動信号ＴｓがＨｉｇｈレベルからＬｏｗレベルになると主制御回路ＳＣは、主電源回路ＩＮＶの電力制御を停止する。
【００２９】
図５に示す時刻ｔ＝ｔ５において、トーチスイッチがオフ状態で作業者が再度図３に示す溶接電流のボリュウムを、例えば、溶接電流０Ａから２００Ａの間を図５（Ｇ）に示す基準時間Ｔｍの時間内に、同図（Ｃ）に示すように、溶接電圧０Ａから２００Ａ、２００Ａから０Ａと往復設定を３回行うことで主制御回路ＳＣは、溶接電源モードが設定されたと判別する。そして、時刻ｔ＝ｔ６において、同図（Ｇ）に示す基準時間Ｔｍが終了した時点で、主制御回路ＳＣは、溶接電源モードの設定が完了したことを判別する。このとき、表示器ＬＥＤは消灯する。
【００３０】
上述より、従来使用している遠隔操作装置の溶接電流のボリュウムＩＲで、作業者が遠隔操作装置又は溶接電源のパネルのどちらを有効にするか選択することができる。
【００３１】
つぎに、図６及び、図７を参照して実施形態３の動作について説明する。
図６は、実施形態３に係るアーク溶接機の電気接続図である。同図において、図１、図４及び図８に示す電気接続図と同一符号の構成物は、同一動作を行うので説明は省略し、符号の相違する構成物についてのみ説明する。
【００３２】
図６に示す第３のモード判別回路ＷＳ３は、第１のバッファアンプＯＰ１、第１の比較器ＣＰ１、電圧基準設定回路ＶＲＥＦ、第２のバッファアンプＯＰ２、第２の比較器ＣＰ２、電流基準設定回路ＩＲＥＦ及びＯＲ論理回路ＯＲで形成し、第１の比較回路ＣＰ１は、溶接電圧設定値Ｖｒの値が予め定めた電圧基準値Ｖｒｅｆ以上になると、第１のモード判別信号Ｃｐ１をＨｉｇｈレベルにし、第２の比較回路ＣＰ２は、溶接電流設定値Ｉｒの値が予め定めた電流基準値Ｉｒｅｆ以上になると、第２のモード判別信号Ｃｐ２をＨｉｇｈレベルにする。そして、ＯＲ論理回路は、第１のモード判別信号Ｃｐ１と第２のモード判別信号Ｃｐ２とのＯＲ論理を行い第３のモード判別信号Ｏｒとして出力する。
【００３３】
図６に示す主制御回路ＳＣは、トーチスイッチがオフ状態のとき、第３のモード判別信号ＯｒのＨｉｇｈレベルに応じて基準時間を動作させ、基準時間内に第３のモード判別信号Ｏｒが、例えば、２回繰り返して入力されると遠隔操作モードと判別し、遠隔操作装置ＲＥＣで設定したの溶接電流設定値Ｉｒ及び溶接電圧設定値Ｖｒに基づいて主電源回路ＩＮＶの電力を制御する。また、トーチスイッチがオフ状態のとき、基準時間内に第３のモード判別信号Ｏｒが、例えば、３回繰り返して入力されると溶接電源モードと判別すると、溶接電源のパネルで設定した第２の溶接電流設定値Ｉｒ２及び第２の溶接電圧設定値Ｖｒ２に基づいて主電源回路ＩＮＶの電力を制御する。
【００３４】
図７は、実施形態３の動作を説明する波形図である。図７において、同図（Ａ）は、起動信号Ｔｓの波形を示し、同図（Ｂ）は、溶接電圧設定値Ｖｒの波形を示し、同図（Ｃ）は、溶接電流設定値Ｉｒを示し、同図（Ｄ）は、第２の溶接電圧設定値Ｖｒ２の波形を示し、同図（Ｅ）は、第２の溶接電流設定値Ｉｒ２を示し、同図（Ｆ）は、第３のモード判別信号Ｏｒの波形を示し、同図（Ｇ）は、基準時間Ｔｍを示す。
【００３５】
つぎに、図６及び図７を参照して実施形態２のアーク溶接機の動作について説明する。
図７に示す時刻ｔ＝ｔ１において、トーチスイッチがオフ状態で作業者が図３に示す溶接電圧のボリュウムＶＲを、例えば、溶接電圧０ＶＡから２６Ｖの間を図７（Ｇ）に示す基準時間Ｔｍの時間内に、同図（Ｂ）に示すように、溶接電圧０Ｖから２６Ｖ、２６Ｖから０Ｖと往復設定を２回行うことで主制御回路ＳＣは、遠隔操作モードと判別する。そして、時刻ｔ＝ｔ２において、同図（Ｇ）に示す基準時間Ｔｍが終了した時点で、主制御回路ＳＣは、遠隔操作モードの設定が完了したことを判別する。このとき、表示器ＬＥＤは点灯する。
【００３６】
図７に示す時刻ｔ＝ｔ３において、図５（Ａ）に示す起動信号ＴｓがＨｉｇｈレベルになると主制御回路ＳＣは、遠隔操作装置ＲＥＣによって設定された同図（Ｂ）に示す溶接電圧設定値Ｖｒ及び同図（Ｃ）に示す溶接電流設定値Ｉｒに基づいて主電源回路ＩＮＶの電力を制御する。そして、時刻ｔ＝ｔ４において、同図（Ａ）に示す起動信号ＴｓがＨｉｇｈレベルからＬｏｗレベルになると主制御回路ＳＣは、主電源回路ＩＮＶの電力制御を停止する。
【００３７】
図７に示す時刻ｔ＝ｔ５において、トーチスイッチがオフ状態で作業者が図３に示す溶接電流のボリュウムを、例えば、溶接電流０Ａから２００Ａの間を図７（Ｇ）に示す基準時間Ｔｍの時間内に、同図（Ｃ）に示すように、溶接電圧０Ａから２００Ａ、２００Ａから０Ａと往復を３回行うことで主制御回路ＳＣは、溶接電源モードが設定されたと判別する。そして、時刻ｔ＝ｔ６において、同図（Ｇ）に示す基準時間Ｔｍが終了した時点で、主制御回路ＳＣは、溶接電源モードの設定が完了したことを判別する。このとき、表示器ＬＥＤは点灯から消灯にする。
【００３８】
上述より、従来使用している遠隔操作装置の溶接電圧のボリュウムＶＲ又は溶接電流のボリュウムＩＲのどちらを使用しても、作業者が遠隔操作装置又は溶接電源のパネルのどちらを有効にするか選択することができる。
【００３９】
次に、本実施形態の特徴的な効果を記載する。
従来のアーク溶接機では、溶接電源のパネルと遠隔操作装置との切り換えを行うには、遠隔操作装置に設けられた切換スイッチを設けて選択を行っていたが、本発明では、遠隔操作装置の溶接電流又は溶接電圧のボリュウムを所定時間（例えば、３秒）内に所定操作を２回行うことで遠隔操作装置を有効にし、所定操作を３回行うことで溶接電源のパネルが有効になるので、切換スイッチを遠隔操作装置に設ける必要がなくなる。さらに、切換スイッチの切換信号を送信する制御線も設ける必要がなくなるので、従来の遠隔操作装置を用いて作業者が手元で溶接電源のパネルか遠隔操作装置かのどちらを有効にするのか選択が可能になる。
【符号の説明】
【００４０】
１            溶接トーチ
２            消耗性電極
３            被加工物
４            送給ロール
ＡＣ          商用周波数の交流電源
ＣＰ１        第１の比較器
Ｃｐ１        第１のモード判別信号
ＣＰ２        第２の比較器
Ｃｐ２        第２のモード判別信号
ＩＮＶ        主電源回路
ＩＤ          断線検出回路
Ｉｄ          断線検出信号
ＩＲ          溶接電流設定器
Ｉｒ          溶接電流設定信号（設定値）
ＩＲ２        第２の溶接電流設定器
Ｉｒ２        第２の溶接電流設定信号（設定値）
ＬＥＤ        表示器（表示燈）
ＯＰ１        第１のバッファアンプ
ＯＰ２        第２のバッファアンプ
ＯＲ          オア論理回路
Ｏｒ          第３のモード判別信号
ＲＥＣ        遠隔操作装置（リモートコントロール装置）
Ｒ１          第１の抵抗器
Ｒ２          第２の抵抗器
ＳＣ          主制御回路
Ｓｃ          主制御信号
ＴＳ          トーチスイッチ
Ｔｓ          起動信号（トーチ信号）
ＶＲ          溶接電圧設定器
Ｖｒ          溶接電流設定信号（設定値）
ＶＲ２        第２の溶接電圧設定器
Ｖｒ２        第２の溶接電流設定信号（設定値）
ＶＲＥＦ      電圧基準設定回路
ＷＧ          溶接電源
ＷＳ１        第１のモード判別回路
ＷＳ２        第２のモード判別回路
ＷＳ３        第３のモード判別回路
【図１】
2015071182.tif 000003
【図２】
2015071182.tif 000004
【図３】
2015071182.tif 000005
【図４】
2015071182.tif 000006
【図５】
2015071182.tif 000007
【図６】
2015071182.tif 000008
【図７】
2015071182.tif 000009
【図８】
2015071182.tif 000010